(57)【要約】  本発明は、短時間の近方視及び読書用のリーディンググラス、より詳しくはパンスネグラス（１）に関する。リーディンググラス（１）を鼻の上によりうまく載せるために、リーディンググラスのブリッジ（３）にはノブ（４及び６）が設けられ、そのうちの２つ（４）は外側にあって、２本の指で眼鏡を持ち、鼻の上に載せることを快適にし、第三のノブ（６）はブリッジの上側中央にある。リーディンググラス（１）のブリッジ（３）は人間工学的である。リーディンググラス（１）のブリッジ（３）の半径の測定は楕円の形状で開発されており、その半径ｎは７．０ｍｍ、ｒ２は７．５ｍｍであり、ブリッジの角度αは３６°である。
2019515359.tif 000002
【特許請求の範囲】
【請求項１】
プラスチック製であり、２枚のレンズと、これらをつなぐレンズブリッジと、前記レンズブリッジ上の２つの鼻パッドと、を含むリーディンググラス（１）において、
前記レンズブリッジ（３）の半径は楕円形であり、前記楕円の半径ｒ１及びｒ２は６．００〜９．００ｍｍ、より詳しくはｒ１は７．００ｍｍ、ｒ２は７．５０ｍｍであり、
前記リーディンググラス（１）の前記レンズブリッジ（３）の側面傾斜αは３２〜４０°、より詳しくは３６°であり、
３つのスタッド（４及び６）は、２又は３本の指で前記リーディンググラス（１）を載せ、又は外すために前記レンズブリッジ（３）の外面上にあり、
前記レンズブリッジ（３）の上部の中央にある第三の前記スタッド（６）は、１本の指で前記リーディンググラス（１）を最終的に設置／センタリングするために使用できる
ことを特徴とするリーディンググラス（１）。
【請求項２】
前記鼻パッド（５）の高さｚは０．５〜０．９ｍｍ、より詳しくは０．７ｍｍであることを特徴とする、請求項１に記載のリーディンググラス（１）。
【請求項３】
前記鼻パッド（５）は楕円形であり、前記楕円の高さｂは１．０ｍｍ〜１．９ｍｍ、より詳しくは１．４５であり、前記楕円の幅ｃは０．７ｍｍ〜１．３ｍｍ、より詳しくは１．０ｍｍであることを特徴とする、請求項１又は２に記載のリーディンググラス（１）。
【請求項４】
前記鼻パッド（５）の上縁βは８０〜９０°、より詳しくは８５°の鋭角であることを特徴とする、請求項１〜３のいずれか一項に記載のリーディンググラス（１）。
【請求項５】
前記鼻パッド（５）の下側角度Ｙは１３５〜１５２°、より詳しくは１４３．５°の鈍角であることを特徴とする、請求項１〜４のいずれか一項に記載のリーディンググラス（１）。
【請求項６】
前記リーディンググラス（１）は鋳造により一体に形成されていることを特徴とする、請求項１〜５のいずれか一項に記載のリーディンググラス（１）。
【請求項７】
前記プラスチック材料はコポリエステルであることを特徴とする、請求項１〜６のいずれか一項に記載のリーディンググラス（１）。
【請求項８】
前記リーディンググラス（１）の厚さは０．５〜１．２５ｍｍであることを特徴とする、請求項１に記載のリーディンググラス（１）。
【発明の詳細な説明】
【技術分野】
【０００１】
技術分野
本発明は、近くにあるものを見るため、及び短時間の読書のためのリーディンググラス、特に鼻眼鏡に関する。これらは、処方された眼鏡がすぐに入手できない、又はまだそれを持っていないような状況で使用されるものである。
【背景技術】
【０００２】
発明の背景
最新技術において、読書用の様々な鼻眼鏡があり、これらはシリコン材料の一体構造として、又はシリコン材料から製造されている。クレジットカードポケットや腕時計のバンドの中又は本の間に容易に挟み込めるような小さいリーディンググラス。射出成型又はホットモールディングによるリーディンググラスの製造もまた、最新技術において知られている。
【０００３】
国際公開第２０１４１９０１６６号は、レンズ、鼻パッド、及びレンズ同士をつなぐブリッジを含む眼鏡を開示している。レンズをつなぐブリッジは、折り曲げることができ、鼻パッドがブリッジ定位置から７ｍｍ又はそれ未満だけ移動させられたときに、鼻パッドを介して５０ｇ又はそれ未満のブリッジ挟み力を提供する。
【０００４】
国際公開第２０１２０６９９８０号は、レンズブリッジ及びそこに接続されたノーズクランプを介して相互に接続されるレンズを含む眼鏡を開示している。ノーズクランプは、使用者の鼻の上に載る鼻パッドを含む。鼻パッドは、レンズ間の距離又は使用者の顔面におけるその向きに大きな影響を与えずに、様々な幅の鼻に対応できるように構成される。
【０００５】
国際公開第２０１５００２６２６号には、あらゆる鼻の輪郭にとって適当な形状をとれるように柔軟なシリコーン製の眼鏡フレームが記載されている。眼鏡フレームの材料及び創作された鼻パッドにより、フレームはずり落ちることなく鼻の上に留まる。
【０００６】
上記解決策の１つの欠点は、小型の眼鏡をどのようにして鼻の上に適正に、また眼鏡表面に損傷を与えずに設置するかが問題となることである。他の欠点は、使いやすく、かつ鼻の上に留まるような眼鏡の人間工学的形状である。
【発明の概要】
【発明が解決しようとする課題】
【０００７】
発明の概要
本発明の目的は、非常に軽量、小型、一体構造の、鼻梁の上に好都合に載せることのできるリーディンググラスを提供することである。このような眼鏡は、リーディンググラスを使用する人のほとんどが、出歩く際にしばしば持ち忘れるという事実により求められている。本発明のリーディンググラスは、安価に製造でき、例えば店舗、レストラン、屋外売店、ガソリンスタンドその他のレジ付近等、あらゆる売り場で販売される。
【課題を解決するための手段】
【０００８】
リーディンググラスを鼻の上によりうまく載せるために、リーディンググラスのレンズブリッジにはスタッドが備えられ、そのうちの２つはレンズブリッジの外面にあり、２又は３本の指でこれらを持つことによって眼鏡を鼻の上に好都合に載せることができ、第三のスタッドはレンズブリッジの上部の中央にある。これらのスタッドは、レンズを保持する際の把持を改善するのに役立ち、それによって、使用者は指で物理的に製品の中心点を感じ取ることができるため、鏡を使わずに鼻の上の眼鏡の最善の位置を見つけることができる。
【０００９】
様々な鼻の測定を利用して、リーディンググラスのレンズブリッジの人間工学的解決策が考案されている。測定結果に基づき、鼻の平均断面および鼻梁の平均半径を計算し、それによって本発明の眼鏡が開発されている。
【００１０】
リーディンググラスは、鼻梁半径が平均より大きい、又は小さい使用者にとって適当であることが重要である。リーディンググラスのレンズブリッジの上部から下側スタッドまでの断面は楕円形であり、その直径は所望の弾力性に応じて選択された。鼻の幅が広いほど、鼻パッドが鼻の上で有する挟み力は大きくなる。より幅の狭い鼻に関しては、挟み力が、リーディンググラスが鼻の上に留まることができるように十分に大きく、その一方で、より幅の広い鼻に関しては、挟み力が十分なまま、リーディンググラスが鼻を押し付けすぎず、又は着用者に痛みを感じさせたり、痕が残ったりしないという結果が実現される。
【００１１】
プラスチック、より具体的にはコポリエステルがリーディンググラスの材料として使用されている。眼鏡の材料は、十分に良好な弾力性および流動性指標を有し、直径１１ｍｍの製品の製造が可能であり、光学的に完璧な結果を提供するものでなければならず、すなわち、鋳型の充填はプラスチックを冷却できる前に行われなければならない。プラスチック鋳造法を使って製作されるリーディンググラスは薄く、軽量である。
【００１２】
リーディンググラスの鼻パッドは単体、すなわち一体構造であり、それゆえ、鼻パッドは眼鏡の残りの部分と同じ材料で製作されている。鼻パッドの形状については人間工学が考慮に入れられている。鼻の上に眼鏡を載せる際、鼻パッドが鼻を擦らず、すなわち、鼻パッドは、鼻パッドの下側部分に平滑な縁／接続部を有する。鼻パッドの上部は、眼鏡がずり落ちるのを止め、眼鏡が着用時に所定の位置に確実に留まるようにするために鋭角を有する。使用される材料は弾力性が高く、鼻に大きな／強い圧力が加わらない。
【００１３】
図面
本発明の上記及びその他の特性及び利点は、下記のような好ましい実施形態を示す図面に関して以下に詳しく説明されている。
【図面の簡単な説明】
【００１４】
【図１】鼻梁半径ｒを示す。
【図２】鼻の側面傾斜角α１を示す。
【図３】リーディンググラスを、リーディンググラスの鼻パッドの詳細Ａ、リーディンググラスのレンズブリッジの断面Ｂ−Ｂ、及び鼻パッドの断面Ｃ−Ｃと共に示す。
【図４】リーディンググラスの曲げ変形ｆを示す。
【図５】曲げ変形ｆおよび曲げ力Ｆの比を表で示す。
【図６】リーディンググラスの１つの考えうる形状を示す。
【発明を実施するための形態】
【００１５】
発明の詳細な説明
図３は、近くにあるものを見るため、及び短時間読書を行うためのものとされるリーディンググラス１を示しており、これは同じ度数で、両眼とも同じ強度の補正屈折力が必要な老眼の矯正のみに適した工業生産レンズ２を含む。
【００１６】
リーディンググラス１の人間工学的解決策は、リーディンググラスを開発するために使用された測定結果に対応する。測定は、７６人の鼻で行われた。そのうち５１％が男性、４９％が女性であった。
【００１７】
図１は、鼻梁の半径ｒを示しており、これは普遍的に大勢の使用者に適した人間工学的なリーディンググラスが適合しなければならない最も重要な測定の１つである。鼻梁半径ｒに関する測定結果は以下のとおり：
６ｍｍ−１５％
７ｍｍ−３８％
８ｍｍ−３５％
９ｍｍ−１２％
平均鼻半径ｒは７．４４ｍｍである。
【００１８】
図２は他の重要な測定を示し、これは鼻側面傾斜α１である。
【００１９】
鼻側面傾斜α１に関する測定結果は以下のとおり：
３０°−２４％
４０°−３２％
４５°−２６％
５５°−１９％
平均鼻側面傾斜α１は４２．１５°である。
【００２０】
したがって、開発されたリーディンググラス１は、平均的な鼻の断面に適合し、これは図３に示されている。
【００２１】
開発されたリーディンググラス１はまた、鼻梁半径が平均より大きい、又は小さい使用者にも適している。これは、リーディンググラス１を製作するために使用される弾性材料により保証され、これによって、図４に示されているように、長さｌ当たりの変形ｆが可能である。
【００２２】
コポリエステルは、本発明のリーディンググラス１の材料として選択されている。コポリエステルは透明なプラスチックであり、これは良好な光学特性のほか良好な弾力性も有する。そのため、眼鏡を一体構造で成型すると、光学部分のほかレンズブリッジ部分は適当な特性を有することになる。
【００２３】
この材料は、厚さ０．５〜１．２５ｍｍのリーディンググラス１を製作するために使用される。
【００２４】
図３は、レンズブリッジ３の上部から鼻パッド５までの断面を示しており、断面Ａ−Ａは楕円形で、その直径ｘ×ｙは０．６〜１．０ｍｍ×０．７〜１．３３ｍｍ、より詳しくは０．８×１．０ｍｍである。眼鏡１のレンズフリッジ３の断面は、所望の弾力性に応じて選択されている。図４のように、鼻の幅が広いほど、鼻パッド５が鼻の上で有する挟み力Ｆは大きくなる。より幅の狭い鼻に関しては、挟み力が、眼鏡が鼻の上に留まることができるように十分に大きく、より幅の広い鼻に関しては、挟み力は依然として十分に大きく、リーディンググラスが鼻を押し付けすぎず、又は着用者に痛みを感じさせたり、痕が残ったりしないという結果が実現される。
【数１】
2019515359.tif 000003
ｆ（曲げ変形）
Ｆ（力）
ｌ（バーの長さ）−１５ｍｍ
Ｅ（弾性係数）−１５５０ＭＰａ
Ｉ（慣性モーメント）−０．０２５１２ｋｇ  ｍ２
【００２５】
図４及び図５の表に示されるように、レンズブリッジ３の半径が楕円のリーディンググラス１が開発された。楕円形の半径ｒ１及びｒ２は、６．０ｍｍ〜９．０ｍｍである。レンズブリッジの上側先端の半径ｒ１は７．００ｍｍであり、側方スタッド４の付近の半径ｒ２は７．５ｍｍである。
【００２６】
リーディンググラス１のレンズブリッジ３の側面傾斜αは３２〜４０°、より詳しくは３６°である。リーディンググラス１のレンズブリッジ３の側面傾斜αは、測定から得られる平均傾斜α１とは異なり、それによってリーディンググラス１は鼻を圧迫する。リーディンググラス１のレンズブリッジ３の傾斜３６°は、様々なレンズブリッジ試作品の試験に基づいて得られた。リーディンググラス１を鼻の上によりうまく載せるために、リーディンググラス１のレンズブリッジ３にはスタッド４及び６が備えられ、そのうち２つのスタッド４はレンズブリッジ３の外面上にあり、それによって２本の指でそれを持つことによって眼鏡を好都合に鼻に載せ、そこから外すことができる。第三のスタッド６はレンズブリッジの上部の中央にあり、１本の指で眼鏡１を最終的に設置／センタリングするものである。
【００２７】
図５は、リーディンググラス１の鼻パッド５の詳細Ａおよび断面Ｃ−Ｃを示す。リーディンググラス１の鼻パッド５は単体、すなわち一体構造であり、それゆえ、鼻パッド５の材料は眼鏡１の残りの部分の材料と全く同じである。鼻パッド５の形状には、人間工学が考慮に入れられている。鼻パッド５の断面は楕円形である。楕円の高さｂは１．０〜１．０ｍｍ、より詳しくは１．４５ｍｍであり、幅ｃは０．７ｍｍ〜１．３ｍｍ、より詳しくは１．０ｍｍである。鼻パッドの高さｚは０．５ｍｍ〜０．９ｍｍ、より詳しくは０．７ｍｍである。
【００２８】
鼻パッド５の上側先端の角度βは８０〜９０°、より詳しくは８５°の鋭角であり、よりよい保持力を提供する。鼻パッド５の下側角度Ｙは１３５〜１５２°、より詳しくは１４３°の鈍角であり、リーディンググラスを鼻の上により好都合に載せることができる。
【００２９】
リーディンググラス１を鼻の上に載せる際、鼻パッド５は鼻を擦らず、すなわち、鼻パッド５は鼻パッド５の下部に平滑な縁／接続部を有する。使用される材料は、鼻に大きい／強い圧力がかからないように弾力性を有する。
【図１】
2019515359.tif 000004
【図２】
2019515359.tif 000005
【図３】
2019515359.tif 000006
【図４】
2019515359.tif 000007
【図５】
2019515359.tif 000008
【図６】
2019515359.tif 000009
【国際調査報告】
2019515359.tif 000010
2019515359.tif 000011